(57)【特許請求の範囲】
【請求項１】
電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンのシュラウド側の入口から出口までのベーン長を前記ディフューザベーンのハブ側の入口から出口までのベーン長よりも長くなるように、前記ディフューザベーンのシュラウド側外径をハブ側外径よりも大きくしたことを特徴とする電動送風機。
【請求項２】
電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンのシュラウド面を前記ファンケーシングに沿わせ、さらに前記ディフューザのシュラウド側外径をハブ側外径よりも大きくしたことを特徴とする電動送風機。
【請求項３】
電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンの同一のベーン高さで見て、前記ディフューザベーンの凹面（負圧面）側の外径と凸面（圧力面）側の外径を同じにし、前記ディフューザのシュラウド側外径をハブ側外径よりも大きくしたことを特徴とする電動送風機。
【請求項４】
請求項１乃至3のいずれかに記載の電動送風機において、
前記リターンガイドベーンの外径を前記ディフューザベーンのハブ側外径と同じか、もしくはそれよりも小さくしたことを特徴とする電動送風機。
【請求項５】
電動送風機及び集塵部を有する掃除機本体と、被清掃面への開口を有する吸口と、前記掃除機本体及び前記吸口とを結ぶ管路とを備え、前記電動送風機によって、前記吸口の室内から前記集塵部に空気を吸引する電気掃除機において、
前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンのシュラウド側の入口から出口までのベーン長を前記ディフューザベーンのハブ側の入口から出口までのベーン長よりも長くなるように、前記ディフューザベーンのシュラウド側外径をハブ側外径よりも大きくしたことを特徴とする電気掃除機。
【請求項６】
電動送風機及び集塵部を有する掃除機本体と、被清掃面への開口を有する吸口と、掃除機本体及び吸口を結ぶ管路とを備え、前記電動送風機によって、前記吸口の室内から前記集塵部に空気を吸引する電気掃除機において、
前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンのシュラウド面を前記ファンケーシングに沿わせ、さらに前記ディフューザのシュラウド側外径をハブ側外径よりも大きくしたことを特徴とする電気掃除機。
【請求項７】
電動送風機及び集塵部を有する掃除機本体と、被清掃面への開口を有する吸口と、掃除機本体及び吸口を結ぶ管路とを備え、前記電動送風機によって、前記吸口の室内から前記集塵部に空気を吸引する電気掃除機において、
前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、
前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、
前記ディフューザベーンの同一のベーン高さで見て、前記ディフューザベーンの凹面（負圧面）側の外径と凸面（圧力面）側の外径を同じにし、前記ディフューザのシュラウド側外径をハブ側外径よりも大きくしたことを特徴とする電気掃除機。
【請求項８】
請求項５乃至７のいずれかに記載の電気掃除機において、
前記リターンガイドベーンの外径を前記ディフューザベーンのハブ側外径と同じか、もしくはそれよりも小さくしたことを特徴とする電気掃除機。
【発明の詳細な説明】
【技術分野】
【０００１】
本発明は、遠心羽根車を有する電動送風機を用いた電気掃除機に関わり、特に小型軽量化及び高出力化するのに好適な電気掃除機に関する。
【背景技術】
【０００２】
従来の電気掃除機用の電動送風機としては、特許3331877号（特許文献１）に開示されているものがある。
【０００３】
特許3331877号に開示されている構造は、電動送風機は、電動機と、この電動機の回転軸と同軸の遠心羽根車と、前記電動機及び遠心羽根車の間に、遠心羽根車側にディフューザベーンを、反遠心羽根車側にリターンガイドベーンを有するディフューザと、前記遠心羽根車及びディフューザを内包するファンケーシングとを具備してなり、前記ディフューザは、前記ファンケーシングとの間に、ディフューザベーン側からリターンガイドベーン側への流路となる隙間を有するように構成されると共に、ディフューザベーン側とリターンガイドベーン側とを仕切る仕切板に、ディフューザベーンの外周端からそのディフューザベーンの外周側の面に沿って内方に切れ込み、その終端が隣接するディフューザベーンの外周端に一致する凹部となる流路を形成している。
【０００４】
【特許文献１】特許3331877号公報
【発明の開示】
【発明が解決しようとする課題】
【０００５】
上記のような従来技術によると、ディフューザのハブ側とシュラウド側の流れがディフューザからリターンへの曲り部で、流路面積を確保でき、ディフューザベーンからリターンガイドベーンへの通気抵抗を低減することができる。しかし、ディフューザベーンからリターンガイドベーンへの空気の流れの転向がスムーズに行われず、曲がり損失が発生するという問題があった。
【０００６】
すなわち、ディフューザから流出した流れは、ディフューザとファンケーシングとの隙間、及び仕切板に形成された凹部流路を通過しリターン側に流入する。ディフューザからの流出した流れは旋回速度成分を有しているため、ディフューザベーンとファンケーシングの隙間を流れようとするが、小型化のためにその隙間が狭く、大部分が凹部流路から急激に電動機側に噴出するように曲げられ、リターンガイドベーンに流入することになる。そのため、流れが乱され曲がり損失などが増加し電動送風機効率が低下する。
【０００７】
また、ディフューザベーンとファンケーシング間の隙間を大きくすると、旋回流を維持したまま流れ、リターンガイドベーンに流入するまでの距離が長くなり、摩擦損失などが増加するという問題があった。
【０００８】
さらに、ディフューザベーンとファンケーシングの隙間を大きくするためには、ファンケーシング径を大きくする必要があり小型にならないという問題があった。
【０００９】
本発明の目的は、電動送風機外径を小さくし、ディフューザからリターンへの曲り部での流れをスムーズに転向させることにより損失を低減し、電動送風機効率を向上させることにある。また、該送風機を用いた電動送風機効率を向上することで、吸込仕事率を向上させた電気掃除機を提供することにある。
【課題を解決するための手段】
【００１０】
上記目的を達成するために本発明の特徴とするところは、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンのシュラウド側の入口から出口までのベーン長を前記ディフューザベーンのハブ側の入口から出口までのベーン長よりも長くなるように、前記ディフューザベーンのシュラウド側外径をハブ側外径よりも大きくした電動送風機にある。
【００１１】
また、本発明の特徴とするところは、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンのシュラウド面を前記ファンケーシングに沿わせ、さらに前記ディフューザのシュラウド側外径をハブ側外径よりも大きくした電動送風機にある。
【００１２】
さらに本発明の特徴とするところは、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンの同一のベーン高さで見て、前記ディフューザベーンの凹面（負圧面）側の外径と凸面（圧力面）側の外径を同じにし、前記ディフューザのシュラウド側外径をハブ側外径よりも大きくした電動送風機にある。
【００１３】
さらにまた本発明の特徴とするところは、電動送風機及び集塵部を有する掃除機本体と、被清掃面への開口を有する吸口と、前記掃除機本体及び前記吸口とを結ぶ管路とを備え、前記電動送風機によって、前記吸口の室内から前記集塵部に空気を吸引する電気掃除機において、前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンのシュラウド側の入口から出口までのベーン長を前記ディフューザベーンのハブ側の入口から出口までのベーン長よりも長くなるように、前記ディフューザベーンのシュラウド側外径をハブ側外径よりも大きくした電気掃除機にある。
【００１４】
さらにまた本発明の特徴とするところは、電動送風機及び集塵部を有する掃除機本体と、被清掃面への開口を有する吸口と、掃除機本体及び吸口を結ぶ管路とを備え、前記電動送風機によって、前記吸口の室内から前記集塵部に空気を吸引する電気掃除機において、前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンのシュラウド面を前記ファンケーシングに沿わせ、さらに前記ディフューザのシュラウド側外径をハブ側外径よりも大きくした電気掃除機にある。
【００１５】
さらにまた本発明の特徴とするところは、電動送風機及び集塵部を有する掃除機本体と、被清掃面への開口を有する吸口と、掃除機本体及び吸口を結ぶ管路とを備え、前記電動送風機によって、前記吸口の室内から前記集塵部に空気を吸引する電気掃除機において、前記電動送風機は、電動機と、吸込み開口を有するシュラウド及び前記電動機の回転軸に固定されるハブとを有する遠心羽根車と、前記電動機と前記遠心羽根車の間に位置し、前記遠心羽根車側にディフューザベーンを、反遠心羽根車側にリターンガイドベーンを有するディフューザと、前記遠心羽根車及びディフューザを内包するファンケーシングとを具備してなり、前記ディフューザは、ディフューザベーン側とリターンガイドベーン側とを仕切る仕切板に、ディフューザベーンの外周端からそのディフューザベーンの外周側の面に沿って内方に切れ込んだ凹部を具備し、前記ディフューザベーンの同一のベーン高さで見て、前記ディフューザベーンの凹面（負圧面）側の外径と凸面（圧力面）側の外径を同じにし、前記ディフューザのシュラウド側外径をハブ側外径よりも大きくした電気掃除機にある。
【００１６】
上記のように、ディフューザベーンのシュラウド側の外径をハブ側の外径よりも大きくすることにより、ディフューザの後縁側でシュラウド側とハブ側で圧力差を作ることができ、ディフューザからリターンガイドへの曲り部において、ディフューザベーンからリターンガイドベーンへの空気の流れをスムーズに転向させることで損失を低減することができる。
【発明の効果】
【００１７】
本発明によれば、ディフューザベーン側とリターンガイドベーン側とを仕切る仕切板形状を、ディフューザベーンの外周端からそのディフューザベーンの外周側の面に沿って内方に切れ込んで、その終端が隣接するディフューザベーンの外周端に一致する凹部を形成し、ディフューザベーンのシュラウド側の外径をハブ側の外径よりも大きくすることにより、ディフューザベーン出口部において、シュラウド側の静圧を高く、ハブ側の静圧を低くすることができる。このため、曲り流路において、外側から内側へ向けての圧力勾配が発生し、ディフューザからリターンガイドへの流れの転向がスムーズに行われ曲がり損失が低減できる。その結果、電動送風機効率を向上させることができる。
【００１８】
また、ディフューザの圧力回復は翼に囲まれた流路内で行われるため、それ以降の仕切部では摩擦損失となる。すなわち、ディフューザベーンの外周側の圧力面側は静圧回復にはあまり寄与せずに摩擦損失が発生するが、ハブ側の径を小さくしているので、翼間流路のハブ側の摩擦損失を低減することができ、電動送風機効率を向上させることができる。
【００１９】
また、シュラウド側とハブ側の外径が同じ場合、ディフューザベーンの圧力面側はブロッケージとなり、リターンガイド側への流れの転向を乱すことになるが、ハブ側の径を小さくしているのでリターン側への流路面積を稼ぐことができ、ディフューザとファンケーシングの間の隙間を小さくすることが可能で電動送風機外径を小さくすることができる。
【００２０】
さらに、リターンガイドベーンの外径をディフューザベーンのハブ側外径と同じか、もしくは小さくしたことによりディフューザからリターンガイドへの通気抵抗をさらに低減することができる。
【発明を実施するための最良の形態】
【００２１】
以下本発明による実施例について図面を参照し説明する。
【実施例１】
【００２２】
電気掃除機は、図９の外観斜視図に示すように、電動送風機および集塵フィルタを内蔵する電気掃除機本体２０１に回転自在に接続されたホース２０２の先端に設けられたホース手元部２０３に、延長管２０４を介して吸口２０5が取り付けられている。ホース手元部２０３は、電気掃除機本体２０１内の電動送風機を制御するためのスイッチ操作部２０６を備える。
次に、図８に示す電気掃除機における掃除機本体２０１の縦断側面図を用いて、電気掃除機本体２０１について説明する。
【００２３】
また、電気掃除機本体２０１は、下ケース３０１、上ケース３０２及び集塵蓋３０３により外郭が構成される。集塵蓋３０３には吸込口３０４が形成され、その内側には、前記吸込口３０４に接合される集塵袋３０５を収容する集塵室３０６が形成されている。集塵室３０６の後方には、電動送風機室３０７が後続し、電動送風機３０８が収納されている。この電動送風機３０８の吸気側は、補助フィルタ３０９を介して集塵室３０６と連通している。電動送風機３０８の排気側は、排気室及び排気フィルタを介して排気口３１０から外部へ開放される。
【００２４】
次に、図７を参照して電動送風機３０８について説明する。この電動送風機は、送風機１と電動機２に大別される。送風機１は、遠心羽根車１２と、該遠心羽根車１２を収納するファンケーシング１３及び、ディフューザ１１と該ディフューザ１１の裏面にリターンガイド１４を持つ静止流路部とを含み構成される。遠心羽根車１２は吸込み開口を有するシュラウド１２ａと、回転軸４に固定されるハブ１２ｂと、シュラウド１２ａとハブ１２ｂとの間に湾曲して配置されたブレード１２ｃより構成されている。
【００２５】
電動機２は、ハウジング３及びエンドブラケット９から成る電動機ケースと、前記電動機ケース内に収納される回転軸４を有する回転子５及び固定子巻線６が巻装された固定子７から構成される。ハウジング３とエンドブラケット９には軸受８が保持され、回転軸４を支持している。
【００２６】
送風機１は、回転軸４の端部にナット１０によって固定された複数の羽根１２ａを有する遠心羽根車１２と、遠心羽根車１２の外周側に配置された、複数のディフューザベーン１１ａを有するディフューザ１１と、該ディフューザ１１の背面側に形成された複数枚のリターンガイドベーン１４ａを有するリターンガイド１４と共に、仕切板１５と一体に成型され配置されている。遠心羽根車１２と、ディフューザ１１と、リターンガイド１４とを内包し、中央に空気吸込口１３ａを有し、電動機ケースに接続されるファンケーシング１３とから構成されている。
【００２７】
次に、図７を用いて電動送風機３０８内における空気の流れを説明する。電動機２を駆動して遠心羽根車１２を回転させると吸込口１３ａからファンケーシング１３内へ空気が流入する。このとき、気流ガイド１３ｂは、遠心羽根車１２に流入する空気流を整流する。遠心羽根車１２から吐出された空気流はディフューザベーン１１ａの間を通過し、静止流路部１０の外周とファンケーシング１３の内周との環状の隙間部１６において、子午面で見て流れが１８０度方向転換する。すなわち、外向き流れから内向き流れに方向転換する。内向きに方向に転換した流れは、リターンガイドベーン１４ａの翼間を通過した後に、ハウジング３へ導入される。このとき、ハウジング３内へ導入された空気流は、ハウジング３内に形成された空気流路を通り、回転子５、固定子巻線６、ブラシ１７を冷却してハウジングの排気口３ａから外部へ排出される。
【００２８】
上記のような電動送風機３０８において効率向上を図るには、ディフューザ１１から吐出された空気流の損失を防ぎながらリターンガイド１４に流れを転向させる事が重要である。
【００２９】
本発明の一実施例を図１から図３を用い説明する。図1は本発明によるディフューザ１１、リターンガイド１４などの静止流路部の一実施例の縦断面図である。図２は、図１のディフューザ平面図、図３はディフューザの斜視図である。
【００３０】
図１から３に示すように、ディフューザ１１とリターンガイド１４とを仕切る仕切板１５にディフューザベーン１１ａの外周端からそのディフューザベーン１１ａの外周側の面に沿って内方に切れ込んで、その終端が隣接するディフューザベーン１１ａの外周端に一致する凹部１５ａを形成すると共に、ディフューザベーン１１ａのシュラウド１１ｂ側の外径D4sをハブ１１ｃ側の外径D4hよりも大きくしている。
【００３１】
このような構造とすることにより、ディフューザ１１の出口部において、ディフューザベーン１１ａのシュラウド１１ｂ側とハブ１１ｃ側の静圧を比較すると、シュラウド１１ｂ側の方が高くなる。つまり、ディフューザ１１からリターンガイド１４への曲り流路において、曲りの外側であるシュラウド１１ｂ側の静圧が高く、曲りの内側であるハブ１１ｅ側の静圧が低くすることができる。このため、曲り流路において、外側から内側へ向けての圧力勾配が発生し、ディフューザ１１からリターンガイド１４への流れの転向がスムーズに行われ損失が低減できる。
【００３２】
また、ディフューザ１１の圧力回復は、ディフューザベーン１１ａに囲まれた流路内で行われるため、それ以降の仕切部では摩擦損失となるが、ハブ１１ｃ側の外径D4hを小さくしているので、ディフューザベーン１１ａで囲まれた流路のハブ側の摩擦損失を低減することができる。
【００３３】
また、シュラウド１１ｂ側とハブ１１ｃ側の外径が同じ場合、ディフューザベーン１１ａの圧力面１１ｄ側はブロッケージとなり、リターンガイド１４への流れの転向を乱すことになるが、本実施例では、ハブ１１ｃ側の外径D4hをシュラウド１１b側の外径D4sよりも小さくしているので、リターンガイド１４への曲がり部の流路面積を稼ぐことができ、リターンガイド１４への流れを阻害すること無く、ディフューザ１１とファンケーシング１３の間の隙間部１６を小さくすることが可能で電動送風機外径を小さくすることができる。すなわち、電動送風機３０８の小型化に繋がる。
【００３４】
また、ディフューザ１１からの流出した流れは旋回速度成分を有しているが、ディフューザベーン１１ａのハブ１１ｃ側の外径D4hよりもシュラウド１１ｂ側の外径D4sよりも小さくしているため、ディフューザ１１とファンケーシング１３の間の隙間部１６が広くなり、スムーズにリターンガイド１４へ流入させることができる。
さらに、リターンガイドベーン１４ａの外径D5をディフューザベーン１１ａのハブ１１ｃ側の外径Ｄ４ｈよりも小さくしているため、ディフューザ１１からリターンガイド１４への通気抵抗をさらに低減することができる。
【００３５】
したがって、電動送風機３０８の外径を大きくすることなく、ディフューザ１１からリターンガイド１４までの静止流路部での流れの改善が図られ、電動送風機３０８の小型・高効率化が達成でき、この電動送風機３０８を搭載した電気掃除機の仕事率を増加させることができる。
【００３６】
本実施例では、ディフューザベーン１１aの後縁形状は、外径の大きいシュラウド１１ｂ側とそれよりも小さい外径のハブ１１ｃ側を結ぶ直線形状としている。図４はディフューザ１１、仕切部１５、リターンガイドを一体で成型した子午面を示す。図に示すように、ディフューザベーン１１ａの後縁を、シュラウド１１ｂ側からハブ１１ｃ側まで直線形状ではなく、羽根高さ方向のほぼ中央付近までシュラウド１１ｂ側の外径D4s、ハブ１１ｃ側の外径D4hのままとしている。
このような形状においても、本実施例と同様な効果が得られる。すなわち、ディフューザベーン１１ａのシュラウド１１ｂ側の外径D4sをハブ１１ｃ側の外径D4hよりも大きくすることにより、ディフューザベーン１１ａ出口部において、シュラウド１１ｂ側の静圧を高く、ハブ１１ｃ側の静圧を低くすることができ、圧力勾配が発生し、ディフューザ１１からリターンガイド１４への流れの転向がスムーズに行われ曲がり損失が低減できる。
さらに図5は後縁形状の角部に丸みを設けてある。ディフューザ１１側からリターンガイド１４側へ流れが移行すする際に発生する流れの剥離が抑制されるので、通気抵抗を低減でき、送風機効率が向上する。
【実施例２】
【００３７】
次に、本発明の一実施例を図６を用い説明する。図６は、ディフューザ１１、リターンガイド１４などの静止流路部の一実施例の縦断面図である。上記実施例と同一部品については同一の符号を用い、その説明は省略する。
本実施例では、仕切板１５を外径に行くにしたがって電動機２側に傾け、仕切板１５と一体に成型されているディフューザブレード１１ａのシュラウド１１ｂ側も同様に傾けている。ファンケーシング１３はシュラウド１１ｂ面に密着するように沿わせ、ディフューザベーン１１ａのシュラウド１１ｂ側の外径D4sをハブ１１ｃ側の外径D4hよりも大きくしている。
本発明は上記構造のため、ディフューザベーン１１ａと仕切板１５及びファンケーシング１３で形成される流路が電動機２側に傾き、さらに、ディフューザ１１の出口部において、ディフューザベーン１１ａのシュラウド１１ｂ側とハブ１１ｃ側の静圧を比較すると、シュラウド１１ｂ側の方が高くなる。つまり、ディフューザ１１からリターンガイド１４への曲り流路において、曲りの外側であるシュラウド１１ｂ側の静圧が高く、曲りの内側であるハブ１１ｅ側の静圧が低くすることができる。このため、曲り流路において、外側から内側へ向けての圧力勾配が発生し、ディフューザ１１からリターンガイド１４への流れの転向がスムーズに行われ損失が低減できる。
したがって、ディフューザ１１からリターンガイド１４までの静止流路部での流れの改善が図られ、電動送風機３０８の高効率化が達成でき、この電動送風機３０８を搭載した電気掃除機の仕事率を増加させることができる。
【産業上の利用可能性】
【００３８】
以上のように、本発明にかかる電動送風機とそれを用いた電気掃除機は、電動送風機の効率の向上、ならびに電気掃除機の吸込仕事率の向上が図られる。電動送風機を用いる家庭用電化機器、産業機器等の用途にも幅広く適用できる。
【図面の簡単な説明】
【００３９】
【図１】本発明による静止流路部の一実施例の縦断面図である。
【図２】本発明によるディフューザの一実施例の平面図である。
【図３】本発明によるディフューザの一実施例の斜視図である。
【図４】本発明によるディフューザの一実施例の子午面図である。
【図５】本発明によるディフューザの一実施例の子午面図である。
【図６】本発明の一実施例における静止流路部の縦断面図である。
【図７】本発明による一実施例による電動送風機の縦断面図である。
【図８】図９の電気掃除機における掃除機本体の縦断面図である。
【図９】本発明による一実施例の電気掃除機の外観斜視図である。
【符号の説明】
【００４０】
１…送風機、２…電動機、３…ハウジング、３ａ…排気口、４…回転軸、５…回転子、６…固定子巻線、７…固定子、８…軸受、９…エンドブラケット、１０…ナット、１１…ディフューザ、１１ａ…ディフューザベーン、１１ｂ…シュラウド、１１ｃ…ハブ、１１ｄ…圧力面、１１ｅ…負圧面、１２…遠心羽根車、１３…ファンケーシング、１３ａ…吸込口、１３ｂ…気流ガイド、１４…リターンガイド、１４a…リターンガイドベーン、１５…仕切板、１５a…仕切板の凹部、１６…隙間部、１７…ブラシ、２０１…電気掃除機本体、２０２…ホース、２０３…ホース手元部、２０４…延長管、２０５…吸口、２０６…スイッチ操作部、３０１…下ケース、３０２…上ケース、３０３…集塵蓋、３０４…吸込口、３０５…集塵袋、３０６…集塵室、３０７…電動送風機室、３０８…電動送風機、３０９…補助フィルタ、３１０…排気口。
【図１】
0004625722.tif 000002
【図２】
0004625722.tif 000003
【図３】
0004625722.tif 000004
【図４】
0004625722.tif 000005
【図５】
0004625722.tif 000006
【図６】
0004625722.tif 000007
【図７】
0004625722.tif 000008
【図８】
0004625722.tif 000009
【図９】
0004625722.tif 000010